(57)【要約】【課題】  設定困難なサブシステムでの設備機器と、他の設備機器との連携動作を容易に行うことができる宅内機器制御システムを提供する。【解決手段】  宅内サーバＴＭは、操作端末ＣＶから制御要求を受信すると、受信した制御要求の制御要求識別子に対応したメイン設備機器Ｘｎへ、当該制御要求識別子に対応した制御内容の制御信号を送信し、さらに受信した制御要求の制御要求識別子に対応したコントローラＣｎへ当該制御要求を転送し、メイン設備機器Ｘｎは、宅内サーバＣＶから受信した制御信号に基づいて動作し、コントローラＣｎは、宅内サーバＣＶから制御要求を受信すると、受信した制御要求の制御要求識別子に対応したサブシステム設備機器Ｙｍへ、当該制御要求識別子に対応した制御内容の制御信号を送信し、サブシステム設備機器Ｙｍは、コントローラＣｎから受信した制御信号に基づいて動作する。【選択図】図１
2010206712.tif 000002
【特許請求の範囲】
【請求項１】
宅内に設置されたコントローラがサブシステム設備機器の制御並びに監視を行う１乃至複数のサブシステムと、各サブシステムのコントローラと伝送路を介して接続される宅内サーバと、宅内サーバに伝送路を介して接続される１乃至複数のメイン設備機器と、宅内サーバに伝送路を介して接続される操作端末とで宅内ネットワークを構成し、
操作端末は、メイン設備機器とサブシステム設備機器とを連携動作させるために、連携動作の内容毎に設定された制御要求識別子を付加した制御要求を宅内サーバへ送信する制御要求送信手段を備え、
宅内サーバは、各制御要求識別子に、制御対象のメイン設備機器および当該メイン設備機器の制御内容、制御要求の転送先のコントローラを対応付けた連携設定情報を格納した第１の記憶手段にアクセス可能であり、操作端末から制御要求を受信すると、第１の記憶手段を参照して、受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送し、
メイン設備機器は、宅内サーバから受信した制御信号に基づいて動作し、
コントローラは、各制御要求識別子に、制御対象のサブシステム設備機器および当該サブシステム設備機器の制御内容を対応付けた制御設定情報を格納した第２の記憶手段にアクセス可能であり、宅内サーバから制御要求を受信すると、第２の記憶手段を参照して、受信した制御要求の制御要求識別子に対応したサブシステム設備機器へ、当該制御要求識別子に対応した制御内容の制御信号を送信し、
サブシステム設備機器は、コントローラから受信した制御信号に基づいて動作する
ことを特徴とする宅内機器制御システム。
【請求項２】
前記コントローラは、前記メイン設備機器と前記サブシステム設備機器とを連携動作させるために、連携動作の内容毎に設定された制御要求識別子を付加した制御要求を入力する制御要求入力手段を備え、当該制御要求が入力されると、第２の記憶手段を参照して、入力された制御要求の制御要求識別子に対応したサブシステム設備機器へ、当該制御要求識別子に対応した制御内容の制御信号を送信し、さらに前記宅内サーバへ当該制御要求を転送し、
宅内サーバは、コントローラから制御要求を受信すると、第１の記憶手段を参照して、受信した制御要求の制御要求識別子に対応したメイン設備機器へ、当該制御要求識別子に対応した制御内容の制御信号を送信する
ことを特徴とする請求項１記載の宅内機器制御システム。
【請求項３】
１乃至複数のメイン設備機器および各サブシステムのコントローラと伝送路を介して接続される前記宅内サーバを複数備えて、各宅内サーバは互いに伝送路を介して接続しており、いずれか１台の宅内サーバは、操作端末から制御要求を受信すると、第１の記憶手段を参照して、当該宅内サーバの制御対象のメイン設備機器のうち前記受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送し、さらに他の宅内サーバへも当該制御要求を転送し、
当該他の宅内サーバは、制御要求を受信すると、第１の記憶手段を参照して、当該宅内サーバの制御対象のメイン設備機器のうち前記受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送する
ことを特徴とする請求項１または２記載の宅内機器制御システム。
【請求項４】
前記宅内サーバは、各制御要求識別子に、制御対象のメイン設備機器および当該メイン設備機器の制御内容、制御要求の転送先のコントローラ、転送先のコントローラによる制御対象のサブシステム設備機器および当該サブシステム設備機器の制御内容が対応付けられているデフォルト設定情報を予め格納した第３の記憶手段にアクセス可能であり、伝送回路を介して所定のデフォルト設定情報を設定するデフォルト設定信号を受信すると、第３の記憶手段から抽出した所定のデフォルト設定情報に基づく連携設定情報を第１の記憶手段に格納し、さらに所定のデフォルト設定情報に基づく制御設定情報を第２の記憶手段に格納するようにコントローラに指示する
ことを特徴とする請求項１乃至３いずれか記載の宅内機器制御システム。
【請求項５】
各制御要求識別子に、制御対象のメイン設備機器および当該メイン設備機器の制御内容、制御要求の転送先のコントローラ、転送先のコントローラによる制御対象のサブシステム設備機器および当該サブシステム設備機器の制御内容が対応付けられた所望のユーザ設定情報を外部から取得する設定情報取得手段を備え、
前記宅内サーバは、当該取得したユーザ設定情報に基づく連携設定情報を第１の記憶手段に格納し、さらに当該取得したユーザ設定情報に基づく制御設定情報を第２の記憶手段に格納するようにコントローラに指示する
ことを特徴とする請求項１乃至４いずれか記載の宅内機器制御システム。
【請求項６】
宅内に設置されたコントローラがサブシステム設備機器の制御並びに監視を行う１乃至複数のサブシステムと、各サブシステムのコントローラと伝送路を介して接続される宅内サーバと、宅内サーバに伝送路を介して接続される１乃至複数のメイン設備機器と、宅内サーバに伝送路を介して接続される操作端末とで宅内ネットワークを構成し、
操作端末は、メイン設備機器とサブシステム設備機器とを連携動作させるために、連携動作の内容毎に設定された第１の制御要求識別子を付加した第１の制御要求を宅内サーバへ送信する制御要求送信手段を備え、
宅内サーバは、第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子を対応付けた連携設定情報を格納した第１の記憶手段にアクセス可能であり、操作端末から第１の制御要求を受信すると、第１の記憶手段を参照して、受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信し、
メイン設備機器は、宅内サーバから受信した制御信号に基づいて動作し、
コントローラは、第２の制御要求識別子に、制御対象のサブシステム設備機器および当該サブシステム設備機器の制御内容を対応付けた制御設定情報を格納した第２の記憶手段にアクセス可能であり、宅内サーバから第２の制御要求を受信すると、第２の記憶手段を参照して、受信した第２の制御要求の第２の制御要求識別子に対応したサブシステム設備機器へ、当該第２の制御要求識別子に対応した制御内容の制御信号を送信し、
サブシステム設備機器は、コントローラから受信した制御信号に基づいて動作する
ことを特徴とする宅内機器制御システム。
【請求項７】
前記コントローラは、前記メイン設備機器と前記サブシステム設備機器とを連携動作させるために、連携動作の内容毎に設定された第１の制御要求識別子を付加した第１の制御要求を入力する制御要求入力手段を備えて、第２の記憶手段に格納している制御設定情報は、第１の制御要求識別子を第２の制御要求識別子に関連付けており、制御要求入力手段によって第１の制御要求が入力されると、第２の記憶手段を参照して、入力された第１の制御要求の第１の制御要求識別子に関連付けられた第２の制御要求識別子に対応したサブシステム設備機器へ、当該第２の制御要求識別子に対応した制御内容の制御信号を送信し、さらに前記宅内サーバへ第１の制御要求を転送し、
宅内サーバは、コントローラから第１の制御要求を受信すると、第１の記憶手段を参照して、受信した第１の制御要求の第１の制御要求識別子に対応したメイン設備機器へ、当該第１の制御要求識別子に対応した制御内容の制御信号を送信する
ことを特徴とする請求項６記載の宅内機器制御システム。
【請求項８】
１乃至複数のメイン設備機器および各サブシステムのコントローラと伝送路を介して接続される前記宅内サーバを複数備えて、各宅内サーバは互いに伝送路を介して接続しており、いずれか１台の宅内サーバは、操作端末から第１の制御要求を受信すると、第１の記憶手段を参照して、当該宅内サーバの制御対象のメイン設備機器のうち前記受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信し、さらに他の宅内サーバへも第１の制御要求を転送し、
当該他の宅内サーバは、第１の制御要求を受信すると、第１の記憶手段を参照して、当該宅内サーバの制御対象のメイン設備機器のうち前記受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信する
ことを特徴とする請求項６または７記載の宅内機器制御システム。
【請求項９】
前記宅内サーバは、第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子が対応付けられているデフォルト設定情報を予め格納した第３の記憶手段にアクセス可能であり、伝送回路を介して所定のデフォルト設定情報を設定するデフォルト設定信号を受信すると、第３の記憶手段から抽出した所定のデフォルト設定情報に基づく連携設定情報を第１の記憶手段に格納し、さらに所定のデフォルト設定情報に基づく制御設定情報を第２の記憶手段に格納するようにコントローラに指示する
ことを特徴とする請求項６乃至８いずれか記載の宅内機器制御システム。
【請求項１０】
第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子が対応付けられた所望のユーザ設定情報を外部から取得する設定情報取得手段を備え、
前記宅内サーバは、当該取得したユーザ設定情報に基づく連携設定情報を第１の記憶手段に格納し、さらに当該取得したユーザ設定情報に基づく制御設定情報を第２の記憶手段に格納するようにコントローラに指示する
ことを特徴とする請求項６乃至９いずれか記載の宅内機器制御システム。
【請求項１１】
前記操作端末は、第３の記憶手段に格納されているデフォルト設定情報を伝送路を介して取得して表示し、当該表示したデフォルト設定情報から所定のデフォルト設定情報を選択し、当該選択結果をデフォルト設定信号として伝送回路を介して送信する表示選択手段を備え、
前記宅内サーバは、操作端末から伝送回路を介してデフォルト設定信号を受信すると、前記選択された所定のデフォルト情報を第３の記憶手段から抽出し、当該抽出した所定のデフォルト設定情報に基づく連携設定情報を第１の記憶手段に格納し、さらに所定のデフォルト設定情報に基づく制御設定情報を第２の記憶手段に格納するようにコントローラに指示する
ことを特徴とする請求項４または９記載の宅内機器制御システム。
【請求項１２】
前記宅内サーバは、前記操作端末からの情報取得要求に応じて前記コントローラにアクセスして、コントローラが第２の記憶手段に格納している制御設定情報を取得し、当該取得した制御設定情報と第１の記憶手段に格納している連携設定情報とを含むウェブページデータを作成して操作端末へ提供し、
前記操作端末は、ブラウザ手段と、当該ブラウザ手段によって表示制御される表示手段とを備え、ブラウザ手段は、宅内サーバから提供されたウェブページデータを表示手段に表示する
ことを特徴とする請求項１乃至１１いずれか記載の宅内機器制御システム。
【請求項１３】
前記操作端末は、前記表示手段に表示したウェブページデータに対するユーザ操作によって、連携設定情報または制御設定情報の変更内容を変更設定信号として前記宅内サーバへ送信する変更内容設定手段を備え、
宅内サーバは、操作端末から受信した変更設定信号に基づいて、第１の記憶手段に格納している連携設定情報を更新し、さらに受信した変更内容に対応したコントローラへ制御設定情報の変更内容を送信し、
コントローラは、宅内サーバから受信した変更内容に基づいて、第２の記憶手段に格納している制御設定情報を更新する
ことを特徴とする請求項１２記載の宅内機器制御システム。
【発明の詳細な説明】
【技術分野】
【０００１】
本発明は、宅内機器制御システムに関するものである。
【背景技術】
【０００２】
従来、照明器具や空調機器あるいは種々のセキュリティ機器などの宅内機器の制御を行う宅内機器制御システムとして、特許文献１に記載されているようなものが提供されている。かかる従来システムは、複数のサブシステム毎に宅内機器の制御並びに監視を行う。
【０００３】
各サブシステムでは、１台のコントローラによって１乃至複数の宅内機器が制御並びに監視されている。そして、各コントローラが、配下の宅内機器による動作を制御しており、例えば、連続調光制御が可能な複数の照明機器を用いて、食事に適した照明制御（食事シーン）、団欒に適した照明制御（団欒シーン）、映画鑑賞に適した照明制御（シアターシーン）等のシーン制御を行う。
【先行技術文献】
【特許文献】
【０００４】
【特許文献１】特開２００７−２３５６０２号公報
【発明の概要】
【発明が解決しようとする課題】
【０００５】
しかし、上記サブシステム毎に設けたコントローラによる宅内機器の動作は、各コントローラでの設定が複雑であり、専門の知識を持った業者でないと、施工および設定ができなかった。
【０００６】
また、宅内にはサブシステムに属していない宅内機器もあり、これらのサブシステムに属していない宅内機器をシーン制御することは可能であるが、サブシステムに属していない宅内機器とサブシステム内の宅内機器との連携動作を行うことは、その設定等が難しく、専門の知識を持った業者でないと困難であった。
【０００７】
本発明は、上記事由に鑑みてなされたものであり、その目的は、設定困難なサブシステムでの設備機器と、他の設備機器との連携動作を容易に行うことができる宅内機器制御システムを提供することにある。
【課題を解決するための手段】
【０００８】
請求項１の発明は、宅内に設置されたコントローラがサブシステム設備機器の制御並びに監視を行う１乃至複数のサブシステムと、各サブシステムのコントローラと伝送路を介して接続される宅内サーバと、宅内サーバに伝送路を介して接続される１乃至複数のメイン設備機器と、宅内サーバに伝送路を介して接続される操作端末とで宅内ネットワークを構成し、操作端末は、メイン設備機器とサブシステム設備機器とを連携動作させるために、連携動作の内容毎に設定された制御要求識別子を付加した制御要求を宅内サーバへ送信する制御要求送信手段を備え、宅内サーバは、各制御要求識別子に、制御対象のメイン設備機器および当該メイン設備機器の制御内容、制御要求の転送先のコントローラを対応付けた連携設定情報を格納した第１の記憶手段にアクセス可能であり、操作端末から制御要求を受信すると、第１の記憶手段を参照して、受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送し、メイン設備機器は、宅内サーバから受信した制御信号に基づいて動作し、コントローラは、各制御要求識別子に、制御対象のサブシステム設備機器および当該サブシステム設備機器の制御内容を対応付けた制御設定情報を格納した第２の記憶手段にアクセス可能であり、宅内サーバから制御要求を受信すると、第２の記憶手段を参照して、受信した制御要求の制御要求識別子に対応したサブシステム設備機器へ、当該制御要求識別子に対応した制御内容の制御信号を送信し、サブシステム設備機器は、コントローラから受信した制御信号に基づいて動作することを特徴とする。
【０００９】
この発明によれば、操作端末が、制御要求識別子を付加した制御要求を生成して送信するのみで、専門的な知識がないと設定困難なコントローラが制御するサブシステム内のサブシステム設備機器と、宅内サーバが直接制御するメイン設備機器とのシーン毎の連携動作を容易に行うことができる。
【００１０】
請求項２の発明は、請求項１において、前記コントローラは、前記メイン設備機器と前記サブシステム設備機器とを連携動作させるために、連携動作の内容毎に設定された制御要求識別子を付加した制御要求を入力する制御要求入力手段を備え、当該制御要求が入力されると、第２の記憶手段を参照して、入力された制御要求の制御要求識別子に対応したサブシステム設備機器へ、当該制御要求識別子に対応した制御内容の制御信号を送信し、さらに前記宅内サーバへ当該制御要求を転送し、宅内サーバは、コントローラから制御要求を受信すると、第１の記憶手段を参照して、受信した制御要求の制御要求識別子に対応したメイン設備機器へ、当該制御要求識別子に対応した制御内容の制御信号を送信することを特徴とする。
【００１１】
この発明によれば、操作端末だけでなく、コントローラからも制御要求を入力できるので、システムの使い勝手が向上する。
【００１２】
請求項３の発明は、請求項１または２において、１乃至複数のメイン設備機器および各サブシステムのコントローラと伝送路を介して接続される前記宅内サーバを複数備えて、各宅内サーバは互いに伝送路を介して接続しており、いずれか１台の宅内サーバは、操作端末から制御要求を受信すると、第１の記憶手段を参照して、当該宅内サーバの制御対象のメイン設備機器のうち前記受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送し、さらに他の宅内サーバへも当該制御要求を転送し、当該他の宅内サーバは、制御要求を受信すると、第１の記憶手段を参照して、当該宅内サーバの制御対象のメイン設備機器のうち前記受信した制御要求の制御要求識別子に対応したメイン設備機器へ、当該制御要求識別子に対応した制御内容の制御信号を送信し、さらに受信した制御要求の制御要求識別子に対応したコントローラへ、当該制御要求を転送することを特徴とする。
【００１３】
この発明によれば、宅内サーバを複数備える場合であっても、操作端末からの制御要求によって、各宅内サーバによるメイン設備機器およびサブシステム設備機器の連携動作を行うことができる。
【００１４】
請求項４の発明は、請求項１乃至３いずれかにおいて、前記宅内サーバは、各制御要求識別子に、制御対象のメイン設備機器および当該メイン設備機器の制御内容、制御要求の転送先のコントローラ、転送先のコントローラによる制御対象のサブシステム設備機器および当該サブシステム設備機器の制御内容が対応付けられているデフォルト設定情報を予め格納した第３の記憶手段にアクセス可能であり、伝送回路を介して所定のデフォルト設定情報を設定するデフォルト設定信号を受信すると、第３の記憶手段から抽出した所定のデフォルト設定情報に基づく連携設定情報を第１の記憶手段に格納し、さらに所定のデフォルト設定情報に基づく制御設定情報を第２の記憶手段に格納するようにコントローラに指示することを特徴とする。
【００１５】
この発明によれば、デフォルトで予め設定されている連携設定情報や制御設定情報を用いることによって、ユーザ自身が連携設定情報や制御設定情報の詳細設定を行う必要がなく、連携動作の設定をより容易に行うことができる。
【００１６】
請求項５の発明は、請求項１乃至４いずれかにおいて、各制御要求識別子に、制御対象のメイン設備機器および当該メイン設備機器の制御内容、制御要求の転送先のコントローラ、転送先のコントローラによる制御対象のサブシステム設備機器および当該サブシステム設備機器の制御内容が対応付けられた所望のユーザ設定情報を外部から取得する設定情報取得手段を備え、前記宅内サーバは、当該取得したユーザ設定情報に基づく連携設定情報を第１の記憶手段に格納し、さらに当該取得したユーザ設定情報に基づく制御設定情報を第２の記憶手段に格納するようにコントローラに指示することを特徴とする。
【００１７】
この発明によれば、ユーザ毎にカスタマイズされた連携設定情報、制御設定情報を容易に設定でき、ユーザの満足度が向上する。
【００１８】
請求項６の発明は、宅内に設置されたコントローラがサブシステム設備機器の制御並びに監視を行う１乃至複数のサブシステムと、各サブシステムのコントローラと伝送路を介して接続される宅内サーバと、宅内サーバに伝送路を介して接続される１乃至複数のメイン設備機器と、宅内サーバに伝送路を介して接続される操作端末とで宅内ネットワークを構成し、操作端末は、メイン設備機器とサブシステム設備機器とを連携動作させるために、連携動作の内容毎に設定された第１の制御要求識別子を付加した第１の制御要求を宅内サーバへ送信する制御要求送信手段を備え、宅内サーバは、第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子を対応付けた連携設定情報を格納した第１の記憶手段にアクセス可能であり、操作端末から第１の制御要求を受信すると、第１の記憶手段を参照して、受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信し、メイン設備機器は、宅内サーバから受信した制御信号に基づいて動作し、コントローラは、第２の制御要求識別子に、制御対象のサブシステム設備機器および当該サブシステム設備機器の制御内容を対応付けた制御設定情報を格納した第２の記憶手段にアクセス可能であり、宅内サーバから第２の制御要求を受信すると、第２の記憶手段を参照して、受信した第２の制御要求の第２の制御要求識別子に対応したサブシステム設備機器へ、当該第２の制御要求識別子に対応した制御内容の制御信号を送信し、サブシステム設備機器は、コントローラから受信した制御信号に基づいて動作することを特徴とする。
【００１９】
この発明によれば、操作端末が、第１の制御要求識別子を付加した制御要求を生成して送信するのみで、専門的な知識がないと設定困難なコントローラが制御するサブシステム内のサブシステム設備機器と、宅内サーバが直接制御するメイン設備機器とのシーン毎の連携動作を容易に行うことができる。
【００２０】
請求項７の発明は、請求項６において、前記コントローラは、前記メイン設備機器と前記サブシステム設備機器とを連携動作させるために、連携動作の内容毎に設定された第１の制御要求識別子を付加した第１の制御要求を入力する制御要求入力手段を備えて、第２の記憶手段に格納している制御設定情報は、第１の制御要求識別子を第２の制御要求識別子に関連付けており、制御要求入力手段によって第１の制御要求が入力されると、第２の記憶手段を参照して、入力された第１の制御要求の第１の制御要求識別子に関連付けられた第２の制御要求識別子に対応したサブシステム設備機器へ、当該第２の制御要求識別子に対応した制御内容の制御信号を送信し、さらに前記宅内サーバへ第１の制御要求を転送し、宅内サーバは、コントローラから第１の制御要求を受信すると、第１の記憶手段を参照して、受信した第１の制御要求の第１の制御要求識別子に対応したメイン設備機器へ、当該第１の制御要求識別子に対応した制御内容の制御信号を送信することを特徴とする。
【００２１】
この発明によれば、操作端末だけでなく、コントローラからも制御要求を入力できるので、システムの使い勝手が向上する。
【００２２】
請求項８の発明は、請求項６または７において、１乃至複数のメイン設備機器および各サブシステムのコントローラと伝送路を介して接続される前記宅内サーバを複数備えて、各宅内サーバは互いに伝送路を介して接続しており、いずれか１台の宅内サーバは、操作端末から第１の制御要求を受信すると、第１の記憶手段を参照して、当該宅内サーバの制御対象のメイン設備機器のうち前記受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信し、さらに他の宅内サーバへも第１の制御要求を転送し、当該他の宅内サーバは、第１の制御要求を受信すると、第１の記憶手段を参照して、当該宅内サーバの制御対象のメイン設備機器のうち前記受信した第１の制御要求の第１の制御要求識別子に対応したメイン設備機器へ、当該第１の制御要求識別子に対応した制御内容の制御信号を送信し、さらに受信した第１の制御要求の第１の制御要求識別子に対応したコントローラへ、当該第１の制御要求識別子に対応した第２の制御要求識別子を付加した第２の制御要求を送信することを特徴とする。
【００２３】
この発明によれば、宅内サーバを複数備える場合であっても、操作端末からの制御要求によって、各宅内サーバによるメイン設備機器およびサブシステム設備機器の連携動作を行うことができる。
【００２４】
請求項９の発明は、請求項６乃至８いずれかにおいて、前記宅内サーバは、第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子が対応付けられているデフォルト設定情報を予め格納した第３の記憶手段にアクセス可能であり、伝送回路を介して所定のデフォルト設定情報を設定するデフォルト設定信号を受信すると、第３の記憶手段から抽出した所定のデフォルト設定情報に基づく連携設定情報を第１の記憶手段に格納し、さらに所定のデフォルト設定情報に基づく制御設定情報を第２の記憶手段に格納するようにコントローラに指示することを特徴とする。
【００２５】
この発明によれば、デフォルトで予め設定されている連携設定情報や制御設定情報を用いることによって、ユーザ自身が連携設定情報や制御設定情報の詳細設定を行う必要がなく、連携動作の設定をより容易に行うことができる。
【００２６】
請求項１０の発明は、請求項６乃至９いずれかにおいて、第１の制御要求識別子に、制御対象のメイン設備機器および当該メイン設備機器の制御内容、制御要求の送信先のコントローラ、制御対象のサブシステム設備機器および当該サブシステム設備機器の制御内容の組み合わせ毎に設定された第２の制御要求識別子が対応付けられた所望のユーザ設定情報を外部から取得する設定情報取得手段を備え、前記宅内サーバは、当該取得したユーザ設定情報に基づく連携設定情報を第１の記憶手段に格納し、さらに当該取得したユーザ設定情報に基づく制御設定情報を第２の記憶手段に格納するようにコントローラに指示することを特徴とする。
【００２７】
この発明によれば、ユーザ毎にカスタマイズされた連携設定情報、制御設定情報を容易に設定でき、ユーザの満足度が向上する。
【００２８】
請求項１１の発明は、請求項４または９において、前記操作端末は、第３の記憶手段に格納されているデフォルト設定情報を伝送路を介して取得して表示し、当該表示したデフォルト設定情報から所定のデフォルト設定情報を選択し、当該選択結果をデフォルト設定信号として伝送回路を介して送信する表示選択手段を備え、前記宅内サーバは、操作端末から伝送回路を介してデフォルト設定信号を受信すると、前記選択された所定のデフォルト情報を第３の記憶手段から抽出し、当該抽出した所定のデフォルト設定情報に基づく連携設定情報を第１の記憶手段に格納し、さらに所定のデフォルト設定情報に基づく制御設定情報を第２の記憶手段に格納するようにコントローラに指示することを特徴とする。
【００２９】
この発明によれば、操作端末によってデフォルト設定情報の設定を行うことができる。
【００３０】
請求項１２の発明は、請求項１乃至１１いずれかにおいて、前記宅内サーバは、前記操作端末からの情報取得要求に応じて前記コントローラにアクセスして、コントローラが第２の記憶手段に格納している制御設定情報を取得し、当該取得した制御設定情報と第１の記憶手段に格納している連携設定情報とを含むウェブページデータを作成して操作端末へ提供し、前記操作端末は、ブラウザ手段と、当該ブラウザ手段によって表示制御される表示手段とを備え、ブラウザ手段は、宅内サーバから提供されたウェブページデータを表示手段に表示することを特徴とする。
【００３１】
この発明によれば、ユーザは、シーン毎のサブシステム設備機器およびメイン設備機器の制御内容を確認することができる。
【００３２】
請求項１３の発明は、請求項１２において、前記操作端末は、前記表示手段に表示したウェブページデータに対するユーザ操作によって、連携設定情報または制御設定情報の変更内容を変更設定信号として前記宅内サーバへ送信する変更内容設定手段を備え、宅内サーバは、操作端末から受信した変更設定信号に基づいて、第１の記憶手段に格納している連携設定情報を更新し、さらに受信した変更内容に対応したコントローラへ制御設定情報の変更内容を送信し、コントローラは、宅内サーバから受信した変更内容に基づいて、第２の記憶手段に格納している制御設定情報を更新することを特徴とする。
【００３３】
この発明によれば、施工後の現場にてユーザが制御内容を変更することができる。
【発明の効果】
【００３４】
以上説明したように、本発明では、設定困難なサブシステムでの設備機器と、他の設備機器との連携動作を容易に行うことができるという効果がある。
【図面の簡単な説明】
【００３５】
【図１】実施形態１の宅内機器制御システムのブロック構成を示す図である。
【図２】同上の操作端末のブロック構成を示す図である。
【図３】同上の宅内サーバのブロック構成を示す図である。
【図４】同上のコントローラのブロック構成を示す図である。
【図５】同上の連携設定情報の構造を示す図である。
【図６】同上の制御設定情報の構造を示す図である。
【図７】同上の閲覧・設定用ウェブページの構成を示す図である。
【図８】同上のデフォルト設定用ウェブページの構成を示す図である。
【図９】実施形態２の宅内機器制御システムの概略構成を示す図である。
【図１０】実施形態３の連携設定情報の構造を示す図である。
【図１１】同上の制御設定情報の構造を示す図である。
【図１２】実施形態４の制御設定情報の構造を示す図である。
【発明を実施するための形態】
【００３６】
以下、本発明の実施の形態を図面に基づいて説明する。
【００３７】
（実施形態１）
本実施形態の宅内機器制御システムは、図１に示すように住宅内に設置されたコントローラＣ１，Ｃ２が宅内の住宅設備の制御並びに監視を行う複数（図示例では２つ）のサブシステムＳＳ１，ＳＳ２、各サブシステムＳＳｎのコントローラＣｎ（ｎ＝１，２）と伝送路（ＲＳ４８５のシリアル通信に用いるツイストペア等のシリアルケーブルＷ１）および中継アダプタＡＤを介して接続される宅内サーバＴＭと、宅内サーバＴＭに伝送路（日本電機工業会（JEMA）等の規格に適合した専用線Ｗ２）を介して接続されるメイン設備機器Ｘｍ（ｍ＝１，２，．．．）と、宅内サーバＴＭに伝送路（エンハンスト・カテゴリ５若しくはカテゴリ６のＬＡＮケーブルＷ３）を介して接続される１乃至複数（図示例では、１つ）の操作端末ＣＶ（専用のコントロールパネルまたはパーソナルコンピュータ）とを備え、これら複数のコントローラＣｎと宅内サーバＴＭとメイン設備機器Ｘｍ（ｍ＝１，２，…）と操作端末ＣＶとが宅内ネットワークを構成している。
【００３８】
ＬＡＮケーブルＷ３を用いたネットワークは、100BASE-TX（IEEE802.3u）規格に準拠したローカルエリアネットワーク（ＬＡＮ）であって、ハブに相当する宅内サーバＴＭに、操作端末ＣＶを含む１乃至複数の端末装置がスター配線で接続されている。更に宅内サーバＴＭは、インターネットに接続するための回線の種類（電話回線、ＣＡＴＶ回線、光ファイバ回線など）に応じてＡＤＳＬモデムやケーブルモデム或いはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。尚、この種のインターネット接続装置ＭＤは従来周知であるから詳細な構成についての図示並びに説明は省略する。
【００３９】
また、宅内ネットワークにはサービス提供会社の管理センター等に設置されたセンタ装置（センタサーバ）ＳＶがインターネットを通じて接続されており、後述するようにインターネットに接続可能なパーソナルコンピュータ、携帯電話機、ＰＤＡ（Personal Digital Assistance）等からなる外部端末ＭＰとセンタ装置ＳＶとの間でインターネットを介したデータ通信を行うことにより、例えば、外部端末ＭＰを使って外出先から住宅設備の制御や監視を行うことができる。センタ装置ＳＶは、ネットワーク機能を有する汎用のコンピュータ装置で構成されており、外部端末ＭＰ等の端末装置からインターネットを通じて送信される宅内サーバＴＭ宛のメッセージや宅内サーバＴＭから宅内ネットワークに属さない端末装置宛に送信されるメッセージを中継する機能や各住戸からの情報統括を行う機能、更に天気情報、交通情報等の情報提供のためのウェブサーバ機能を有している。但し、上述のようなインターネット接続機能を有する外部端末ＭＰやセンタ装置ＳＶのハードウェア構成は従来周知であるから、詳細な構成についての図示並びに説明は省略する。
【００４０】
さて本発明の操作端末ＣＶは住宅内の壁面に埋込配設されるものであって、図２に示すようにマイコンを主構成要素とする制御部５０と、宅内ネットワークのＬＡＮケーブルＷ３が接続され制御部５０と宅内ネットワークのインタフェースを行うＬＡＮ用の通信手段たる通信部５１と、液晶ディスプレイやドライブ回路からなる表示手段たる表示部５２と、押釦スイッチや表示部５２の画面上に配設されるタッチパネルを有し、ユーザの操作入力の情報を取り込む操作部５３と、マイコンで実行するプログラムや種々のデータを記憶するフラッシュメモリなどからなる不揮発性の記憶部５４と、スピーカとスピーカの駆動回路を有するスピーカ部５５と、ＵＳＢメモリ等の記憶媒体を装着して、当該記憶媒体からデータを取得可能な情報入力部５６とを備えている。
【００４１】
また、図示は省略しているが、商用電源から所望の直流電源を作成して制御部５０やその他の各部に動作電源を供給するための電源回路も備えている。
【００４２】
制御部５０には、ウェブブラウザ５０ａ（ブラウザ手段）が実装され、さらには予め記憶部５４に記憶しているウェブページ（以下、内蔵ウェブページと呼ぶ。）をブラウザ５０ａに提供（配信）するウェブサーバ機能を有している。そして、宅内サーバＴＭやコントローラＣｎ等から提供されるコンテンツを搭載したウェブページ並びに予め記憶部５４に記憶している内蔵ウェブページをブラウザ５０ａで再生して表示部５２に表示するとともに、操作部５３のタッチパネルが操作された位置と表示部５２に表示されているアイコン等との位置関係に応じた操作入力情報を取り込む。
【００４３】
また、記憶部５４には予め警報音や音声メッセージのデータが圧縮して格納されており、制御部５０が必要に応じて記憶部５４から読み出したデータを伸長してスピーカ部５５に出力すれば、前記警報音や音声メッセージがスピーカから鳴動される。
【００４４】
一方、システムでのネットワーク通信を統合管理する宅内サーバＴＭは、図３に示すように、シリアルケーブルＷ１を介した中継アダプタＡＤ経由で設備機器コントローラＣ１，Ｃ２が接続されるポート３１と、専用線Ｗ２を介してメイン設備機器Ｘｍに接続されるポート３２，３３と、さらにＬＡＮケーブルＷ３を介して操作端末ＣＶが接続されるポート３４と、ＬＡＮケーブルを介してインターネット接続装置ＭＤが接続され、インターネットを通じてセンタ装置ＳＶや外部端末ＭＰ、又は他のネット端末に接続するポート３５と、後述の連携設定情報を格納した連携設定情報記憶部３６（第１の記憶手段）と、後述のデフォルト設定情報を格納したデフォルト設定情報記憶部３７（第３の記憶手段）と、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールするとともに、各ポート間においてＲＳ４８５の通信フォーマット、日本電機工業会（JEMA）等の規格による通信フォーマット、100BASE-TX（IEEE802.3u）規格に準拠したＬＡＮ通信のフォーマットを互いに変換する制御部３０とを備えている。また、図示は省略しているが、商用電源から所望の直流電源を作成して制御部３０やその他の各部に動作電源を供給するための電源回路も備えている。なお、宅内サーバＴＭのポート３２，３３を接点出力として、メイン設備機器Ｘｍの動作を接点出力のオン・オフに応じて制御する構成でもよい。
【００４５】
また、制御部３０は、多数のウェブページ群を保持しており、端末装置からのウェブページのＵＲＬに対するアクセスに応じてウェブページ群の中から対応するウェブページのデータをポート３４より端末装置に提供（配信）するウェブサーバ機能を有している。
【００４６】
サブシステムＳＳ１、ＳＳ２は、調光機能付きの照明器具からなる住宅設備（サブシステム設備機器）Ｙｍ（ｍ＝１，２，…）と、サブシステム設備機器Ｙｍの制御並びに監視を行うコントローラ）Ｃｎとを備える。
【００４７】
コントローラＣｎは、図４に示すようにマイコンを主構成要素とする制御部１０と、宅内ネットワークが接続され制御部１０と宅内ネットワークのインタフェースを行う通信部１１と、日本電機工業会（JEMA）の統一規格に適合したサブシステム設備機器Ｙｍと制御部１０のインタフェースを行うＨＡ（ホームオートメーション）用の機器インタフェース部（機器Ｉ／Ｆ部）１２と、マイコンで実行するプログラムやサブシステム設備機器Ｙｍの動作状態などの制御情報及び監視情報を記憶する記憶部１３と、押釦スイッチや画面上に配設されるタッチパネルを有し、ユーザの操作入力の情報を取り込む表示／操作部１４と、後述の制御設定情報を記憶する制御設定情報記憶部１５（第２の記憶手段）とを備えている。また、図示は省略しているが、商用電源から所望の直流電源を作成して制御部１０やその他の各部に動作電源を供給するための電源回路、更に時刻計時を行う時計部をも備えている。
【００４８】
制御部１０は、通信部１１を通じて端末装置から制御要求のメッセージを受け取ったときに機器Ｉ／Ｆ部１２を介して、調光機能付きの照明器具たるサブシステム設備機器Ｙｍを個別に制御して、点灯、消灯、調光を切り換え、通信部１１を通じて端末装置から監視要求のメッセージを受け取ったときに機器Ｉ／Ｆ部１２を介してサブシステム設備機器Ｙｍの動作状態（点灯または消灯または調光状態）を個別に取得するとともに、制御要求や監視要求に対する応答（サブシステム設備機器Ｙｍの動作状態）のメッセージを通信部１１より要求メッセージの送信元である端末装置に向けて送信させる機能（制御監視機能）を有する。
【００４９】
また、制御部１０は、自己の配下にあるサブシステム設備機器Ｙｍの名称並びに動作状態を文字や記号で表示するための多数のウェブページ群を保持しており、端末装置からウェブページのＵＲＬに対するアクセスに応じてウェブページ群の中から対応するウェブページのデータを通信部１１より端末装置に提供（配信）するウェブサーバ機能を有している。
【００５０】
さらに、設備機器Ｘｍは、メイン日本電機工業会（JEMA）の統一規格に適合しており、専用線Ｗ２を介して接続された宅内サーバＴＭが、制御信号を送信することによって設備機器Ｘｍを制御し、さらにはメインシステム設備機器Ｘｍの動作状態などの監視情報を取得して、操作端末ＣＶ等の端末装置へ送信する。
【００５１】
このような宅内機器制御システムでは、メインシステム設備機器Ｘｍは、宅内サーバＴＭによって制御され、サブシステム設備機器Ｙｍは、コントローラＣｎによって制御されている。
【００５２】
以下、メイン設備機器Ｘｍとサブシステム設備機器Ｙｍとのシーン毎の連携動作について説明する。
【００５３】
まず、操作端末ＣＶは、操作部５３においてユーザによるシーン制御操作が為された場合、または予めスケジュール設定されたシーン制御時刻になった場合に、制御部５０が、所定のメイン設備機器Ｘｍと所定のサブシステム設備機器Ｙｍとの連携動作を指示する制御要求Ｋ１を生成し、ＬＡＮケーブルＷ３に送出する（制御要求送信手段）。この制御要求Ｋ１は、連携動作の内容毎（シーン毎）に設定された制御要求識別子を付加されて生成される。ここで、連携動作の内容とは、連携動作の対象となるメイン設備機器Ｘｍとサブシステム設備機器Ｙｍの各アドレス（ＭＡＣアドレス等）や、各設備機器の制御内容である。
【００５４】
制御要求Ｋ１を受信した宅内サーバＴＭでは、連携設定情報記憶部３６に格納している連携設定情報を参照する。連携設定情報は、図５に示すように、各制御要求識別子（識別子１、識別子２、．．．）に、制御対象のメイン設備機器Ｘｍおよび当該メイン設備機器の制御内容、制御要求の転送先のコントローラＣｎを対応付けて構成されている。ここで、メイン設備機器の制御内容には、メイン設備機器Ｘｍ毎の具体的な制御内容（例えば、開または閉、電源入または電源切等）が設定されている。そして、制御部３０は、連携設定情報を参照して、制御要求Ｋ１に付加されている制御要求識別子に対応したメイン設備機器Ｘｍへ、当該制御要求識別子に対応した制御内容の制御信号を送信し、さらに制御要求Ｋ１の制御要求識別子に対応したコントローラＣｎへ、当該制御要求Ｋ１を転送する。
【００５５】
そして、宅内サーバＴＭから制御信号を受信したメイン設備機器Ｘｍは、この制御信号に基づいて動作する。ここで、メイン設備機器Ｘｍは、電動雨戸、電動天窓、電動カーテン等であり、食事シーン、団欒シーン、シアターシーン、就寝シーン等の各制御内容に応じた開閉動作を行う。
【００５６】
ここで、中継アダプタＡＤは、宅内サーバＴＭ側のＲＳ４８５の通信フォーマットとコントローラＣｎの入力側の通信フォーマットとを互いに変換するものであり、宅内サーバＴＭからコントローラＣｎへ転送された制御要求Ｋ１も中継アダプタＡＤによってフォーマット変換され、コントローラＣｎへは、フォーマット変換後の制御要求Ｋ１が送信される。
【００５７】
そして、制御要求Ｋ１の転送先であるコントローラＣｎは、制御設定情報記憶部１５に格納している制御設定情報を参照する。制御設定情報は、図６に示すように、各制御要求識別子（識別子１、識別子２、．．．）に、制御対象のサブシステム設備機器Ｙｍおよび当該サブシステム設備機器の制御内容を対応付けて構成されている。ここで、サブシステム設備機器の制御内容には、サブシステム設備機器Ｙｍ毎の具体的な制御内容（例えば、点灯、消灯、調光レベル等）が設定されている。そして、制御部１０は、制御設定情報を参照して、制御要求Ｋ１の制御要求識別子に対応したサブシステム設備機器Ｙｍへ、当該制御要求識別子に対応した制御内容の制御信号を送信する。
【００５８】
コントローラＣｎから制御信号を受信したサブシステム設備機器Ｙｍは、この制御信号に基づいて動作（点灯、消灯、調光）する。ここで、サブシステム設備機器Ｙｍは、調光機能付きの照明器具であり、食事シーン、団欒シーン、シアターシーン、就寝シーン等の各制御内容に応じて、点灯、消灯、調光の各動作を行う。
【００５９】
このように、本宅内機器制御システムでは、操作端末ＣＶが、制御要求識別子を付加した制御要求Ｋ１を生成して送信するのみで、専門的な知識がないと設定困難なコントローラＣｎが制御するサブシステムＳＳｎ内のサブシステム設備機器Ｙｍと、宅内サーバＴＭが直接制御するメイン設備機器Ｘｍとのシーン毎の連携動作を容易に行うことができる。
【００６０】
また、操作端末ＣＶから送信される制御要求は、所定のメイン設備機器Ｘｍのみ、または所定のサブシステム設備機器Ｙｍのみの動作を指示するものでもよい。
【００６１】
例えば、所定のメイン設備機器Ｘｍのみを制御する場合、操作端末ＣＶの制御部５０は、所定のメイン設備機器Ｘｍのみの単独動作を指示する制御要求Ｋ１ａを生成し、ＬＡＮケーブルＷ３に送出する（制御要求送信手段）。この制御要求Ｋ１ａは、メイン設備機器Ｘｍの単独動作の内容を示す例えば制御要求識別子６を付加されて生成され、制御要求識別子６には制御要求の転送先コントローラが設定されていない（図５参照）。
【００６２】
制御要求識別子６を付加された制御要求Ｋ１ａを受信した宅内サーバＴＭでは、制御部３０が、図５に示す連携設定情報を参照して、制御要求Ｋ１ａに付加されている制御要求識別子６に対応したメイン設備機器Ｘ１，Ｘ２のみへ、当該制御要求識別子に対応した制御内容の制御信号を送信する。そして、宅内サーバＴＭから制御信号を受信したメイン設備機器Ｘ１，Ｘ２のみが、この制御信号に基づいて換気シーンで動作する。
【００６３】
次に、所定のサブシステム設備機器Ｙｍのみを制御する場合、操作端末ＣＶの制御部５０は、所定のサブシステム設備機器Ｙｍのみの単独動作を指示する制御要求Ｋ１ｂを生成し、ＬＡＮケーブルＷ３に送出する（制御要求送信手段）。この制御要求Ｋ１ｂは、サブシステム設備機器Ｙｍの単独動作の内容を示す例えば制御要求識別子７を付加されて生成され、制御要求識別子７には制御対象のメイン設備機器が設定されていない（図５参照）。
【００６４】
制御要求識別子７を付加された制御要求Ｋ１ｂを受信した宅内サーバＴＭでは、制御部３０が、図５に示す連携設定情報を参照して、制御要求Ｋ１ｂに付加されている制御要求識別子７に対応したコントローラＣ１のみへ、制御要求Ｋ１ｂを転送する。制御要求Ｋ１ｂの転送先であるコントローラＣ１は、制御設定情報記憶部１５に格納している制御設定情報を参照して、制御要求Ｋ１ｂの制御要求識別子７に対応したサブシステム設備機器Ｙ３，Ｙ４へ、当該制御要求識別子に対応した制御内容の制御信号を送信する。そして、コントローラＣ１から制御信号を受信したサブシステム設備機器Ｙ３，Ｙ４のみが、この制御信号に基づいて仕事シーンで動作する。
【００６５】
また、操作端末ＣＶは、宅内サーバＴＭの連携設定情報や、コントローラＣｎの制御設定情報を取得して閲覧、設定することができる。
【００６６】
まず、操作端末ＣＶは、ユーザが操作部５３を操作することによって、所望のシーンの情報取得要求を、当該シーンの制御要求識別子を付加して宅内サーバＴＭへ送信する。情報取得要求を受信した宅内サーバＴＭは、各コントローラＣｎにアクセスして、各コントローラＣｎの制御設定情報記憶部１５に格納している制御設定情報から、要求されている制御要求識別子に対応する情報を取得する。次に、宅内サーバＴＭの制御部３０は、連携設定情報記憶部３６に格納している連携設定情報から、要求されている制御要求識別子に対応する情報を取得する。そして、制御部３０は、要求されているシーンに対応する連携設定情報と制御設定情報とを表示する閲覧・設定用のウェブページＰ１を作成し、この閲覧・設定用ウェブページＰ１を操作端末ＣＶへ提供する。
【００６７】
閲覧・設定用ウェブページＰ１を取得した操作端末ＣＶは、ブラウザ５０ａを実行することによって表示部５２に閲覧・設定用ウェブページＰ１を表示する。この閲覧・設定用ウェブページＰ１は図７に示すように、所望のシーンに関して、コントローラＣｎの制御設定情報を表示する制御設定情報エリアＡ１と、宅内サーバＴＭの連携設定情報を表示する連携設定情報エリアＡ２と、制御設定情報エリアＡ１および連携設定情報エリアＡ２に表示している設定によるサブシステム設備機器Ｙｍおよびメイン設備機器Ｘｍの制御内容を再現するか否かを決定する再現ボタンＢ１、非再現ボタンＢ２とを含んでいる。なお、連携設定情報エリアＡ２には、メイン設備機器Ｘｍの開閉制御の内容以外に、フェード制御およびディレイ制御の各内容も表示される。
【００６８】
ユーザは、この閲覧・設定用ウェブページＰ１を見て、シーン毎のサブシステム設備機器Ｙｍおよびメイン設備機器Ｘｍの制御内容を確認することができ、さらには操作部５３の操作によって制御内容（連携設定情報、制御設定情報）を変更することもできる。変更された制御内容は、操作部５３の操作によるブラウザ５０ａの動作によって宅内サーバＴＭへ変更設定信号として送信される（変更内容設定手段）。宅内サーバＴＭの制御部３０は、操作端末ＣＶから受信した変更設定信号に基づいて、連携設定情報記憶部３６に格納している連携設定情報を更新し、さらに受信した変更内容に対応したコントローラＣｎへ制御設定情報の変更内容を送信する。コントローラＣｎは、宅内サーバＴＭから受信した変更内容に基づいて、制御設定情報記憶部１５に格納している制御設定情報を更新する。
【００６９】
さらに、閲覧・設定用ウェブページＰ１の再現ボタンＢ１を押下すれば、制御設定情報エリアＡ１および連携設定情報エリアＡ２に表示している設定によるサブシステム設備機器Ｙｍおよびメイン設備機器Ｘｍの制御内容を実際に再現してから本処理を終了する。また、非再現ボタンＢ２を押下すれば、制御設定情報エリアＡ１および連携設定情報エリアＡ２に表示している設定によるサブシステム設備機器Ｙｍおよびメイン設備機器Ｘｍの制御内容を実際に再現することなく本処理を終了する。
【００７０】
また、制御要求Ｋ１は、コントローラＣｎから送信することも可能である。コントローラＣｎでは、ユーザによる表示／操作部１４の操作、または外部の図示しない赤外線リモコンからの赤外線信号によって、制御部１０が、所定のメイン設備機器Ｘｍと所定のサブシステム設備機器Ｙｍとの連携動作を指示する制御要求Ｋ２を生成する（制御要求入力手段）。この制御要求Ｋ２は、連携動作の内容毎（シーン毎）に設定された制御要求識別子を付加されて生成される。そして、制御部１０は、制御設定情報記憶部１５に格納している制御設定情報を参照して、制御要求Ｋ２の制御要求識別子に対応したサブシステム設備機器Ｙｍへ、当該制御要求識別子に対応した制御内容の制御信号を送信する。コントローラＣｎから制御信号を受信したサブシステム設備機器Ｙｍは、この制御信号に基づいて動作（点灯、消灯、調光）する。
【００７１】
さらにコントローラＣｎは、制御要求Ｋ２を宅内サーバＴＭへ送信し、中継アダプタＡＤを介してフォーマット変換された制御要求Ｋ２を受信した宅内サーバＴＭでは、制御部３０が、連携設定情報記憶部３６に格納している連携設定情報を参照して、制御要求Ｋ２に付加されている制御要求識別子に対応したメイン設備機器Ｘｍへ、当該制御要求識別子に対応した制御内容の制御信号を送信する。そして、宅内サーバＴＭから制御信号を受信したメイン設備機器Ｘｍは、この制御信号に基づいて動作する。
【００７２】
したがって、操作端末ＣＶだけでなく、コントローラＣｎからも制御要求を入力できるので、システムの使い勝手が向上する。
【００７３】
また、宅内サーバＴＭのデフォルト設定情報記憶部３７には、シーン毎の連携動作におけるメイン設備機器Ｘｍおよびサブシステム設備機器Ｙｍの各制御内容のデフォルト状態を示す複数のデフォルト設定情報を予め格納している。各デフォルト設定情報は、シーン毎の制御要求識別子に、制御対象のメイン設備機器Ｘｍおよび当該メイン設備機器の制御内容、制御要求の転送先のコントローラＣｎ、転送先のコントローラによる制御対象のサブシステム設備機器Ｙｍおよび当該サブシステム設備機器の制御内容が対応付けられており、本システムの施工前である宅内サーバＴＭの出荷時等に予めデフォルト設定情報記憶部３７に格納される。そして、施工後は、操作端末ＣＶの操作によって、宅内サーバＴＭの連携設定情報、コントローラＣｎの制御設定情報にデフォルト情報を設定可能となっている。
【００７４】
具体的には、操作端末ＣＶは、ユーザが操作部５３を操作することによって、デフォルト情報取得要求を宅内サーバＴＭへ送信し、デフォルト情報取得要求を受信した宅内サーバＴＭの制御部３０は、デフォルト設定情報記憶部３７に格納されているデフォルト設定情報を参照して、デフォルト設定するシーンを選択するためのウェブページＰ２（デフォルト設定用ウェブページＰ２）を生成して、操作端末ＣＶへ送信する。
【００７５】
操作端末ＣＶでは、ブラウザ５０ａを実行して、図８に示すデフォルト設定用ウェブページＰ２を表示部５２に表示する。デフォルト設定用ウェブページＰ２は、各シーンに対応付けられた選択ボタンを複数設けたシーン選択ボタン群Ａ３が配置されており、ユーザが操作部５３を操作することによって、シーン選択ボタン群Ａ３から所望のシーンを選択すると、当該シーンの制御要求識別子が付加されたシーン選択信号が宅内サーバＴＭに送信される。
【００７６】
宅内サーバＴＭでは、制御部３０が、シーン選択信号に基づいて、デフォルト設定情報記憶部３７から当該シーン選択信号に対応するデフォルト設定情報を読み出し、操作端末ＣＶへ送信する。
【００７７】
操作端末ＣＶでは、ブラウザ５０ａを実行して、デフォルト設定情報の閲覧・設定用ウェブページＰ１（図７のウェブページと同様に構成される）を表示部５２に表示する。ユーザは、この閲覧・設定用ウェブページＰ１を見て、シーン毎のデフォルト設定情報によるサブシステム設備機器Ｙｍおよびメイン設備機器Ｘｍの制御内容を確認することができる。そして、当該デフォルト設定情報による制御内容を設定する場合には、操作部５３の操作によって、表示したデフォルト設定情報から所定のデフォルト設定情報を選択し、当該デフォルト設定情報を設定するためのデフォルト設定信号を宅内サーバＴＭへ送信する（表示選択手段）。
【００７８】
宅内サーバＴＭでは、制御部３０が、デフォルト設定信号に基づいて、デフォルト設定情報記憶部３７から当該シーン選択信号に対応するデフォルト設定情報を読み出し、選択したシーンの制御要求識別子に、デフォルトで設定されている制御対象のメイン設備機器Ｘｍおよび当該メイン設備機器の制御内容、制御要求の転送先のコントローラＣｎを対応付けた連携設定情報を連携設定情報記憶部３６に格納する。
【００７９】
さらに、制御部３０は、読み出したデフォルト設定情報から、選択したシーンの制御要求識別子に、デフォルトで設定されている制御対象のサブシステム設備機器Ｙｍおよび当該サブシステム設備機器の制御内容を対応付けた制御設定情報を、制御要求の転送先のコントローラＣｎへ送信する。当該転送先のコントローラＣｎは、受信したデフォルトの制御設定情報を制御設定情報記憶部１５に格納する。
【００８０】
したがって、デフォルトで予め設定されている連携設定情報や制御設定情報を用いることによって、ユーザ自身が連携設定情報や制御設定情報の詳細設定を行う必要がなく、連携動作の設定をより容易に行うことができる。
【００８１】
また、シーン毎の連携動作におけるメイン設備機器Ｘｍおよびサブシステム設備機器Ｙｍの各制御内容をショールーム等でユーザが直接確認することがある。そして、ユーザの満足が得られた制御内容のデータをユーザ別の設定情報としてＵＳＢメモリ等の記憶媒体に格納し、この記憶媒体を持ち帰ったユーザが操作端末ＣＶの情報入力部５６に記憶媒体を装着することによって、このユーザ毎にカスタマイズされた設定情報（ユーザ設定情報）をシステムに適用することができる。
【００８２】
ユーザ設定情報は、シーン毎の制御要求識別子に、制御対象のメイン設備機器Ｘｍおよび当該メイン設備機器の制御内容、制御要求の転送先のコントローラＣｎ、転送先のコントローラによる制御対象のサブシステム設備機器Ｙｍおよび当該サブシステム設備機器の制御内容が対応付けられており、操作端末ＣＶにおいて、制御部５０が情報入力部５６に装着された記憶媒体からユーザ設定情報を読み出し、宅内サーバＴＭへ送信する。宅内サーバＴＭでは、制御部３０が、受信したユーザ設定情報に基づいて、制御要求識別子に、ユーザ毎にカスタマイズされた制御対象のメイン設備機器Ｘｍおよび当該メイン設備機器の制御内容、制御要求の転送先のコントローラＣｎを対応付けた連携設定情報を連携設定情報記憶部３６に格納する。
【００８３】
さらに、制御部３０は、受信したユーザ設定情報から、制御要求識別子に、ユーザ毎にカスタマイズされた制御対象のサブシステム設備機器Ｙｍおよび当該サブシステム設備機器の制御内容を対応付けた制御設定情報を、制御要求の転送先のコントローラＣｎへ送信する。送信先のコントローラＣｎは、受信した制御設定情報を制御設定情報記憶部１５に格納する。
【００８４】
したがって、ユーザ毎にカスタマイズされた連携設定情報、制御設定情報を容易に設定でき、ユーザの満足度が向上する。なお、ユーザ設定情報は、センタ装置ＳＶからインターネット経由で宅内サーバＴＭに提供されてもよい。また、ショールームにおいて、ユーザ設定情報をコード変換したデータをユーザに提示し、ユーザが自宅の操作端末ＣＶの操作部５３を操作して、コード変換データを入力することによって、制御部５０がユーザ設定情報を復号してもよい。
【００８５】
なお、連携設定情報記憶部３６（第１の記憶手段）、制御設定情報記憶部１５（第２の記憶手段）、デフォルト設定情報記憶部３７（第３の記憶手段）を宅内ネットワーク上に設けて、宅内サーバＴＭ、コントローラＣｎが必要に応じてネットワーク経由で各記憶手段にアクセスする構成でもよい。
【００８６】
（実施形態２）
本実施形態の宅内機器制御システムは、図９の概略構成に示すように、２台の宅内サーバＴＭ１，ＴＭ２を設置して、各宅内サーバＴＭ１，ＴＭ２にメイン設備機器Ｘｍ、コントローラＣｎを接続し、各コントローラＣｎがサブシステム設備機器Ｙｍを有するサブシステムＳＳｎを制御する場合の連携動作について説明する。
【００８７】
まず、操作端末ＣＶは宅内サーバＴＭ１のみに接続されており、宅内サーバＴＭ２は宅内サーバＴＭ１に接続されている。そして、操作端末ＣＶから送信された制御要求Ｋ１を受信した宅内サーバＴＭ１は、実施形態１と同様にメイン設備機器Ｘｍおよびサブシステム設備機器Ｙｍを連携動作させるとともに、制御要求Ｋ１を宅内サーバＴＭ２に転送する。宅内サーバＴＭ１から転送された制御要求Ｋ１を受信した宅内サーバＴＭ２は、宅内サーバＴＭ１と同様に、メイン設備機器Ｘｍおよびサブシステム設備機器Ｙｍを連携動作させる。
【００８８】
したがって、宅内サーバＴＭを複数備える場合であっても、操作端末ＣＶからの制御要求Ｋ１によって、各宅内サーバＴＭによるメイン設備機器Ｘｍおよびサブシステム設備機器Ｙｍの連携動作を行うことができる。
【００８９】
また、宅内サーバＴＭの数は３台以上であっても、操作端末ＣＶから送信された制御要求Ｋ１を受信した宅内サーバＴＭ１が他の複数の宅内サーバＴＭへ制御要求Ｋ１を転送すればよい。
【００９０】
あるいは、各宅内サーバＴＭが、次の１台の宅内サーバへ制御要求Ｋ１を順次転送する構成でもよい。
【００９１】
（実施形態３）
本実施形態の宅内機器制御システムの構成は、実施形態１と同様に図１に示されるが、宅内サーバＴＭに制御要求識別子の変換機能を設けた点が実施形態１と異なる。
【００９２】
以下、本実施形態におけるメイン設備機器Ｘｍとサブシステム設備機器Ｙｍとのシーン毎の連携動作について説明する。
【００９３】
まず、操作端末ＣＶは、操作部５３においてユーザによるシーン制御操作が為された場合、または予めスケジュール設定されたシーン制御時刻になった場合に、制御部５０が、所定のメイン設備機器Ｘｍと所定のサブシステム設備機器Ｙｍとの連携動作を指示する制御要求Ｋ１（第１の制御要求）を生成し、ＬＡＮケーブルＷ３に送出する（制御要求送信手段）。この制御要求Ｋ１は、連携動作の内容毎（シーン毎）に設定された第１の制御要求識別子を付加されて生成される。ここで、連携動作の内容とは、連携動作の対象となるメイン設備機器Ｘｍとサブシステム設備機器Ｙｍの各アドレス（ＭＡＣアドレス等）や、各設備機器の制御内容である。
【００９４】
制御要求Ｋ１を受信した宅内サーバＴＭでは、連携設定情報記憶部３６に格納している連携設定情報を参照する。連携設定情報は、図１０に示すように、第１の制御要求識別子（識別子１，識別子２，識別子３、．．．）に、制御対象のメイン設備機器Ｘｍおよび当該メイン設備機器の制御内容、制御要求の転送先のコントローラＣｎ、制御対象のサブシステム設備機器Ｙｍおよび当該サブシステム設備機器の制御内容の組み合わせ毎に設定された第２の制御要求識別子（識別子ａ，識別子ｂ，識別子ｃ、．．．）を対応付けて構成されている。そして、制御部３０は、連携設定情報を参照して、制御要求Ｋ１に付加されている第１の制御要求識別子に対応したメイン設備機器Ｘｍへ、当該第１の制御要求識別子に対応した制御内容の制御信号を送信し、さらに制御要求Ｋ１の第１の制御要求識別子に対応したコントローラＣｎへ、第１の制御要求識別子に対応した第２の制御要求識別子を付加した制御要求Ｋ１１（第２の制御要求）を送信する。
【００９５】
そして、宅内サーバＴＭから制御信号を受信したメイン設備機器Ｘｍは、この制御信号に基づいて動作する。ここで、メイン設備機器Ｘｍは、電動雨戸、電動天窓、電動カーテン等であり、食事シーン、団欒シーン、シアターシーン、就寝シーン等の制御内容に応じた開閉動作を行う。
【００９６】
ここで、中継アダプタＡＤは、宅内サーバＴＭ側のＲＳ４８５の通信フォーマットとコントローラＣｎの入力側の通信フォーマットとを互いに変換するものであり、宅内サーバＴＭからコントローラＣｎへ転送された制御要求Ｋ１１も中継アダプタＡＤによってフォーマット変換され、コントローラＣｎへは、フォーマット変換後の制御要求Ｋ１１が送信される。
【００９７】
そして、制御要求Ｋ１１の送信先であるコントローラＣｎは、制御設定情報記憶部１５に格納している制御設定情報を参照する。制御設定情報は、図１１に示すように、第２の制御要求識別子に、制御対象のサブシステム設備機器Ｙｍおよび当該サブシステム設備機器の制御内容を対応付けて構成されている。そして、制御部１０は、制御設定情報を参照して、制御要求Ｋ１１の第２の制御要求識別子に対応したサブシステム設備機器Ｙｍへ、第２の制御要求識別子に対応した制御内容の制御信号を送信する。
【００９８】
コントローラＣｎから制御信号を受信したサブシステム設備機器Ｙｍは、この制御信号に基づいて動作（点灯、消灯、調光）する。ここで、サブシステム設備機器Ｙｍは、調光機能付きの照明器具であり、食事シーン、団欒シーン、シアターシーン、就寝シーン等の各制御内容に応じて、点灯、消灯、調光の各動作を行う。
【００９９】
このように、本宅内機器制御システムでは、操作端末ＣＶが、第１の制御要求識別子を付加した制御要求Ｋ１を生成して送信するのみで、専門的な知識がないと設定困難なコントローラＣｎが制御するサブシステムＳＳｎ内のサブシステム設備機器Ｙｍと、宅内サーバＴＭが直接制御するメイン設備機器Ｘｍとのシーン毎の連携動作を容易に行うことができる。
【０１００】
また、本実施形態では、メイン設備機器Ｘｍを制御するための制御要求識別子と、サブシステム設備機器Ｙｍを制御するための制御要求識別子とが、互いに異なる場合でも、ユーザはその違いを意識することなく、連携動作を行うことができる。
【０１０１】
また、宅内サーバＴＭのデフォルト設定情報記憶部３７には、シーン毎の連携動作におけるメイン設備機器Ｘｍおよびサブシステム設備機器Ｙｍの各制御内容のデフォルト状態を示す複数のデフォルト設定情報を予め格納している。各デフォルト設定情報は、シーン毎の第１の制御要求識別子に、制御対象のメイン設備機器Ｘｍおよび当該メイン設備機器の制御内容、制御要求の転送先のコントローラＣｎ、制御対象のサブシステム設備機器Ｙｍおよび当該サブシステム設備機器の制御内容の組み合わせ毎に設定された第２の制御要求識別子を対応付けて構成されており、本システムの施工前である宅内サーバＴＭの出荷時等に予めデフォルト設定情報記憶部３７に格納される。そして、施工後は、操作端末ＣＶの操作によって、宅内サーバＴＭの連携設定情報、コントローラＣｎの制御設定情報にデフォルト情報を設定可能となっている。
【０１０２】
具体的には、操作端末ＣＶは、ユーザが操作部５３を操作することによって、デフォルト情報取得要求を宅内サーバＴＭへ送信し、デフォルト情報取得要求を受信した宅内サーバＴＭの制御部３０は、デフォルト設定情報記憶部３７に格納されているデフォルト設定情報を参照して、デフォルト設定するシーンを選択するためのウェブページＰ２（デフォルト設定用ウェブページＰ２）を生成して、操作端末ＣＶへ送信する。
【０１０３】
操作端末ＣＶでは、ブラウザ５０ａを実行して、図８に示すデフォルト設定用ウェブページＰ２を表示部５２に表示する。デフォルト設定用ウェブページＰ２は、各シーンに対応付けられた選択ボタンを複数設けたシーン選択ボタン群Ａ３が配置されており、ユーザが操作部５３を操作することによって、シーン選択ボタン群Ａ３から所望のシーンを選択すると、当該シーンの制御要求識別子が付加されたシーン選択信号が宅内サーバＴＭに送信される。
【０１０４】
宅内サーバＴＭでは、制御部３０が、シーン選択信号に基づいて、デフォルト設定情報記憶部３７から当該シーン選択信号に対応するデフォルト設定情報を読み出し、操作端末ＣＶへ送信する。
【０１０５】
操作端末ＣＶでは、ブラウザ５０ａを実行して、デフォルト設定情報の閲覧・設定用ウェブページＰ１（図７のウェブページと同様に構成される）を表示部５２に表示する。ユーザは、この閲覧・設定用ウェブページＰ１を見て、シーン毎のデフォルト設定情報によるサブシステム設備機器Ｙｍおよびメイン設備機器Ｘｍの制御内容を確認することができる。そして、当該デフォルト設定情報による制御内容を設定する場合には、操作部５３の操作によって、表示したデフォルト設定情報から所定のデフォルト設定情報を選択し、当該デフォルト設定情報を設定するためのデフォルト設定信号を宅内サーバＴＭへ送信する（表示選択手段）。
【０１０６】
宅内サーバＴＭでは、制御部３０が、デフォルト設定信号に基づいて、デフォルト設定情報記憶部３７から当該シーン選択信号に対応するデフォルト設定情報を読み出し、選択したシーンの第１の制御要求識別子に、デフォルトで設定されている制御対象のメイン設備機器Ｘｍおよび当該メイン設備機器の制御内容、制御要求の転送先のコントローラＣｎ、制御対象のサブシステム設備機器Ｙｍおよび当該サブシステム設備機器の制御内容の組み合わせ毎に設定された第２の制御要求識別子を対応付けた連携設定情報を連携設定情報記憶部３６に格納する。
【０１０７】
さらに、制御部３０は、読み出したデフォルト設定情報から、選択したシーンの第１の制御要求識別子に対応した第２の制御要求識別子に、デフォルトで設定されている制御対象のサブシステム設備機器Ｙｍおよび当該サブシステム設備機器の制御内容を対応付けた制御設定情報を、制御要求の転送先のコントローラＣｎへ送信する。当該転送先のコントローラＣｎは、受信したデフォルトの制御設定情報を制御設定情報記憶部１５に格納する。
【０１０８】
したがって、デフォルトで予め設定されている連携設定情報や制御設定情報を用いることによって、ユーザ自身が連携設定情報や制御設定情報の詳細設定を行う必要がなく、連携動作の設定をより容易に行うことができる。
【０１０９】
また、シーン毎の連携動作におけるメイン設備機器Ｘｍおよびサブシステム設備機器Ｙｍの各制御内容をショールーム等でユーザが直接確認することがある。そして、ユーザの満足が得られた制御内容のデータをユーザ別の設定情報としてＵＳＢメモリ等の記憶媒体に格納し、この記憶媒体を持ち帰ったユーザが操作端末ＣＶの情報入力部５６に記憶媒体を装着することによって、このユーザ毎にカスタマイズされた設定情報（ユーザ設定情報）をシステムに適用することができる。
【０１１０】
ユーザ設定情報は、シーン毎の第１の制御要求識別子に、制御対象のメイン設備機器Ｘｍおよび当該メイン設備機器の制御内容、制御要求の転送先のコントローラＣｎ、制御対象のサブシステム設備機器Ｙｍおよび当該サブシステム設備機器の制御内容の組み合わせ毎に設定された第２の制御要求識別子が対応付けられており、操作端末ＣＶにおいて、制御部５０が情報入力部５６に装着された記憶媒体からユーザ設定情報を読み出し、宅内サーバＴＭへ送信する。宅内サーバＴＭでは、制御部３０が、受信したユーザ設定情報に基づいて、第１の制御要求識別子に、ユーザ毎にカスタマイズされた制御対象のメイン設備機器Ｘｍおよび当該メイン設備機器の制御内容、制御要求の転送先のコントローラＣｎ、制御対象のサブシステム設備機器Ｙｍおよび当該サブシステム設備機器の制御内容の組み合わせ毎に設定された第２の制御要求識別子を対応付けた連携設定情報を連携設定情報記憶部３６に格納する。
【０１１１】
さらに、制御部３０は、受信したユーザ設定情報から、第２の制御要求識別子に、ユーザ毎にカスタマイズされた制御対象のサブシステム設備機器Ｙｍおよび当該サブシステム設備機器の制御内容を対応付けた制御設定情報を、制御要求の転送先のコントローラＣｎへ送信する。送信先のコントローラＣｎは、受信した制御設定情報を制御設定情報記憶部１５に格納する。
【０１１２】
したがって、ユーザ毎にカスタマイズされた連携設定情報、制御設定情報を容易に設定でき、ユーザの満足度が向上する。なお、ユーザ設定情報は、センタ装置ＳＶからインターネット経由で宅内サーバＴＭに提供されてもよい。また、ショールームにおいて、ユーザ設定情報をコード変換したデータをユーザに提示し、ユーザが自宅の操作端末ＣＶの操作部５３を操作して、コード変換データを入力することによって、制御部５０がユーザ設定情報を復号してもよい。
【０１１３】
また、本実施形態においても、実施形態１，２と同様に、操作端末ＣＶによって閲覧・設定用ウェブページを見て、シーン毎のサブシステム設備機器Ｙｍおよびメイン設備機器Ｘｍの制御内容を確認、変更することは可能であり、同様の効果を得ることができる。
【０１１４】
なお、連携設定情報記憶部３６（第１の記憶手段）、制御設定情報記憶部１５（第２の記憶手段）、デフォルト設定情報記憶部３７（第３の記憶手段）を宅内ネットワーク上に設けて、宅内サーバＴＭ、コントローラＣｎが必要に応じて各記憶手段にネットワーク経由でアクセスする構成でもよい。
【０１１５】
（実施形態４）
本実施形態の宅内機器制御システムは、実施形態３と同様に宅内サーバＴＭに制御要求識別子の変換機能を設けているが、操作端末ＣＶだけでなく、コントローラＣｎからも制御要求を入力する構成を備えている点が実施形態３と異なる。ここで、コントローラＣｎの制御設定情報記憶部１５に格納している制御設定情報は、図１２に示すように、第２の制御要求識別子に、制御対象のサブシステム設備機器Ｙｍおよび当該サブシステム設備機器の制御内容に加えて、第１の制御要求識別子も関連付けて構成されている。
【０１１６】
以下、コントローラＣｎからの制御要求入力動作について説明する。
【０１１７】
まず、コントローラＣｎでは、ユーザによる表示／操作部１４の操作、または外部の図示しない赤外線リモコンからの赤外線信号によって、制御部１０が、所定のメイン設備機器Ｘｍと所定のサブシステム設備機器Ｙｍとの連携動作を指示する制御要求Ｋ２を生成する（制御要求入力手段）。この制御要求Ｋ２は、連携動作の内容毎（シーン毎）に設定された第１の制御要求識別子を付加されて生成される。そして、制御部１０は、制御設定情報記憶部１５に格納している制御設定情報を参照して、制御要求Ｋ２の第１の制御要求識別子に関連付けられた第２の制御要求識別子を認識し、当該第２の制御要求識別子に対応したサブシステム設備機器Ｙｍへ、第２の制御要求識別子に対応した制御内容の制御信号を送信する。コントローラＣｎから制御信号を受信したサブシステム設備機器Ｙｍは、この制御信号に基づいて動作（点灯、消灯、調光）する。
【０１１８】
さらにコントローラＣｎは、制御要求Ｋ２を宅内サーバＴＭへ転送し、中継アダプタＡＤを介してフォーマット変換された制御要求Ｋ２を受信した宅内サーバＴＭでは、制御部３０が、連携設定情報記憶部３６に格納している連携設定情報を参照して、制御要求Ｋ２に付加されている第１の制御要求識別子に対応したメイン設備機器Ｘｍへ、当該第１の制御要求識別子に対応した制御内容の制御信号を送信する。そして、宅内サーバＴＭから制御信号を受信したメイン設備機器Ｘｍは、この制御信号に基づいて動作する。
【０１１９】
したがって、操作端末ＣＶだけでなく、コントローラＣｎからも制御要求を入力できるので、システムの使い勝手が向上する。
【０１２０】
（実施形態５）
本実施形態の宅内機器制御システムは、実施形態３または４において、宅内サーバＴＭを複数備えて、操作端末ＣＶからの制御要求を各宅内サーバＴＭへ転送する構成を備えており、図９の概略構成に示すように、２台の宅内サーバＴＭ１，ＴＭ２を設置して、各宅内サーバＴＭ１，ＴＭ２にメイン設備機器Ｘｍ、コントローラＣｎを接続し、各コントローラＣｎがサブシステム設備機器Ｙｍを有するサブシステムＳＳｎを制御する。
【０１２１】
まず、操作端末ＣＶは宅内サーバＴＭ１のみに接続されており、宅内サーバＴＭ２は宅内サーバＴＭ１に接続されている。そして、操作端末ＣＶから送信された制御要求Ｋ１を受信した宅内サーバＴＭ１は、実施形態３または４と同様にメイン設備機器Ｘｍおよびサブシステム設備機器Ｙｍを連携動作させるとともに、制御要求Ｋ１を宅内サーバＴＭ２に転送する。宅内サーバＴＭ１から転送された制御要求Ｋ１を受信した宅内サーバＴＭ２は、宅内サーバＴＭ１と同様に、メイン設備機器Ｘｍおよびサブシステム設備機器Ｙｍを連携動作させる。
【０１２２】
したがって、宅内サーバＴＭを複数備える場合であっても、操作端末ＣＶからの制御要求Ｋ１によって、各宅内サーバＴＭによるメイン設備機器Ｘｍおよびサブシステム設備機器Ｙｍの連携動作を行うことができる。
【０１２３】
また、宅内サーバＴＭの数は３台以上であっても、操作端末ＣＶから送信された制御要求Ｋ１を受信した宅内サーバＴＭ１が他の複数の宅内サーバＴＭへ制御要求Ｋ１を転送すればよい。
【０１２４】
あるいは、各宅内サーバＴＭが、次の１台の宅内サーバへ制御要求Ｋ１を順次転送する構成でもよい。
【０１２５】
なお、本システムにおいて、メイン設備機器Ｘｍとサブシステム設備機器Ｙｍとの連携動作が可能なシーンとしては、全灯シーン、食事シーン、くつろぎシーン、団欒シーン、シアターシーン（テレビ）、シアターシーン終了（テレビ）、プロジェクターシーン、プロジェクター終了シーン、おやすみ（常夜灯）シーン、おやすみ（入眠）シーン、おはようシーン、音楽シーン、ピアノシーン、ゲームシーン、勉強シーン、仕事シーン、エクササイズシーン、瞑想シーン、来客シーン等がある。
【０１２６】
また、メイン設備機器Ｘｍは、電動雨戸、電動天窓、電動カーテン以外の宅内機器であってもよく、サブシステム設備機器Ｙｍは、調光機能付きの照明器具以外の宅内機器であってもよい
【符号の説明】
【０１２７】
ＣＶ  操作端末
ＴＭ  宅内サーバ
Ｃｎ  コントローラ
ＳＳｎ  サブシステム
Ｘｍ  メイン設備機器
Ｙｍ  サブシステム設備機器
ＳＶ  センタ装置
【図１】
2010206712.tif 000003
【図２】
2010206712.tif 000004
【図３】
2010206712.tif 000005
【図４】
2010206712.tif 000006
【図５】
2010206712.tif 000007
【図６】
2010206712.tif 000008
【図７】
2010206712.tif 000009
【図８】
2010206712.tif 000010
【図９】
2010206712.tif 000011
【図１０】
2010206712.tif 000012
【図１１】
2010206712.tif 000013
【図１２】
2010206712.tif 000014